(57)【要約】      （修正有）【課題】引戸を引き込む際の指挟みを防止し、しかも引戸の引き込み動作を好適に行わせることができる引戸装置、及びその引戸装置を備えた建物を提供する。【解決手段】引戸本体１１の戸先付近には切欠凹部２１が形成され、その切欠凹部２１には、引戸本体１１に対して相対移動可能に引手片２２が設けられている。そして、引手片２２が引戸本体１１と一体移動する状態と、引手片２２が引戸本体１１に対して相対移動可能となる状態とを、引戸本体１１の引き出し位置に応じて切り替えるようにし、特に控え壁部に対して引戸本体１１が引手片２２の指掛け部分だけ引き出された状態となる位置で一体移動→相対移動可能の状態切り替えを行うようにしている。【選択図】図３
2007297888.tif 000002
【特許請求の範囲】
【請求項１】
壁部に沿って出し入れされる引戸本体を有し、その引戸本体の戸先側に、当該引戸本体に対して相対移動可能に引手部材を設けた引戸装置であって、
前記引手部材が前記引戸本体と一体移動する状態と、前記引手部材が前記引戸本体に対して相対移動可能となる状態とを、前記引戸本体の引き出し位置に応じて切り替える構成としたことを特徴とする引戸装置。
【請求項２】
前記引戸本体を移動させる際、前記壁部に対して引戸本体が前記引手部材の指掛け部分だけ引き出された状態となる位置で、前記引手部材が前記引戸本体と一体移動する状態から、前記引手部材が前記引戸本体に対して相対移動可能となる状態へ切り替える構成としたことを特徴とする請求項１に記載の引戸装置。
【請求項３】
前記引手部材と係合し係合状態で引戸本体と引手部材とを一体移動させる係合部材を前記引戸本体に設け、前記引戸本体の引き出し位置に応じて前記係合部材の係合／非係合の状態を切り替える構成としたことを特徴とする請求項１又は２に記載の引戸装置。
【請求項４】
前記係合部材として、一端が引戸本体の上端面又は下端面から突出し、他端が前記引手部材に係合する長尺状部材を備えるとともに、前記引戸本体の上端面又は下端面から突出する方向に前記長尺状部材を付勢する付勢手段を備え、
前記引戸本体をその移動方向に案内する引戸枠の上枠部又は下枠部において前記引戸本体の上端面又は下端面との対向面の所定部位に、前記長尺状部材を進退させるための段差凹部を設けたことを特徴とする請求項３に記載の引戸装置。
【請求項５】
前記長尺状部材において前記引戸枠の上枠部又は下枠部との接触部に車輪を設けたことを特徴とする請求項４に記載の引戸装置。
【請求項６】
前記係合部材を係合状態のままロックするためのロック機構を、ユーザにより切り替え操作可能に設けたことを特徴とする請求項３乃至５のいずれかに記載の引戸装置。
【請求項７】
前記引手部材が前記引戸本体と一体移動する状態と、前記引手部材が前記引戸本体に対して相対移動可能となる状態とが切り替えられる引戸本体の引き出し位置を、変更可能としたことを特徴とする請求項１乃至６のいずれかの記載引戸装置。
【請求項８】
前記引戸本体の一方の面が前記壁部に対向し、他方の面が前記壁部に対向しない状態で設置される引戸装置であって、
前記壁部との対向側の引戸面に、前記引戸本体に対して相対移動可能となる前記引手部材を設けるとともに、反対側の引戸面に、前記引戸本体に固定した固定引手を設けたことを特徴とする請求項１乃至７のいずれかの記載の引戸装置。
【請求項９】
相対する２つの壁部の間に形成される引戸収容部に対して前記引戸本体が出し入れされる引戸装置であって、
前記引戸本体の表裏両方の引戸面に、前記引戸本体に対して相対移動可能となる前記引手部材を設けたことを特徴とする請求項１乃至７のいずれかの記載の引戸装置。
【請求項１０】
請求項１乃至９のいずれかの記載の引戸装置を備え、該引戸装置の引戸本体により、人が出入りする開口部を開閉する構成としたことを特徴とする建物。
【発明の詳細な説明】
【技術分野】
【０００１】
本発明は、住宅等の建物に据え付けられる引戸装置、及びその引戸装置を備えた建物に関するものである。
【背景技術】
【０００２】
従来から、引手に指挟み防止機構を設けた引戸が各種提案されており、その指挟み防止機構によれば、引戸の引き込み動作に際し引手に掛けた手指が挟まれ難くなっている。例えば、特許文献１では、引戸の一端に引戸面に対して出没自在に引手部材を設けるとともに、その引手部材を引戸面から没入する方向へ付勢するバネ部材を設け、引手部材に手指を掛けて引戸を移動させる際にバネ部材の付勢力に抗して引手部材が引戸面から突出する構成としている。この場合、引手部材が突出することで指挟みが防止されるようになっていた。
【０００３】
上記のように引手部材が引戸に対して相対移動可能となる構成では、ユーザが引手部材に指を掛けて引戸を引き込み動作させる際、先に引手部材のみが動き、その後引戸が実際に動き始める。この場合、引手部材のみの動きが介在するため、引戸を移動させる際には意図しない余計な動作を要し、ユーザにとっては煩わしさを感じるといった不都合が生じる。
【特許文献１】特開２００４−１５０１５３号公報
【発明の開示】
【発明が解決しようとする課題】
【０００４】
本発明は、引戸を引き込む際の指挟みを防止し、しかも引戸の引き込み動作を好適に行わせることができる引戸装置を提供することを主たる目的とするものである。
【課題を解決するための手段】
【０００５】
以下、上記課題を解決するのに有効な手段等につき、必要に応じて作用、効果等を示しつつ説明する。なお以下では、理解を容易にするため、発明の実施形態において対応する構成例を括弧書き等で適宜示すが、この括弧書き等で示した具体的構成に限定されるものではない。
【０００６】
本発明の引戸装置は、壁部（控え壁部８）に沿って出し入れされる引戸本体（引戸本体１１）を有し、該引戸本体の戸先側に、引戸本体に対して相対移動可能に引手部材（引手片２２）を設けている。そして特に、引手部材が引戸本体と一体移動する状態と、引手部材が引戸本体に対して相対移動可能となる状態とを、引戸本体の引き出し位置に応じて切り替えるようにした。
【０００７】
上記構成によれば、引戸本体に対して相対移動可能に引手部材を設けたため、引戸本体を壁部に重なる方向に移動させる際において、引手部材に差し入れた手指が引戸本体と壁部との間に挟まれるといった不都合を防止することができる。また反面、引戸本体に対して引手部材が相対移動可能になると、引手部材のみが動作することで引戸が意図するように動作せず煩わしさも生じる。この点本発明では、引手部材が引戸本体と一体移動する状態と、引手部材が引戸本体に対して相対移動可能となる状態とが、引戸本体の引き出し位置に応じて切り替えられる構成となっているため、指挟みが生じそうな状況でのみ引手部材を相対移動可能にすることが可能となる。以上により、引戸を引き込む際の指挟みを防止し、しかも引戸の引き込み動作を好適に行わせることができる。
【０００８】
引戸本体を移動させる際、壁部に対して引戸本体が引手部材の指掛け部分だけ引き出された状態となる位置で、引手部材が引戸本体と一体移動する状態から、引手部材が引戸本体に対して相対移動可能となる状態へ切り替えると良い。この場合、引戸本体の移動範囲内において、引手部材が引戸本体に対して相対移動可能となる状態を必要最小限の範囲で設けることができる。
【０００９】
ここで、引手部材と係合し係合状態で引戸本体と引手部材とを一体移動させる係合部材（ロッド３１）を引戸本体に設け、引戸本体の引き出し位置に応じて係合部材の係合／非係合の状態を切り替えると良い。この場合、係合部材を設けることにより、引手部材及び引戸本体の一体移動／相対移動の状態切り替えを容易に行わせることができる。
【００１０】
引戸本体の引き出し位置に応じて係合部材の係合／非係合の状態を切り替えるための構成として、次の構成が考えられる。すなわち、係合部材として、一端が引戸本体の上端面又は下端面から突出し、他端が引手部材に係合する長尺状部材（ロッド３１）を設けるとともに、引戸本体の上端面又は下端面から突出する方向に長尺状部材を付勢する付勢手段（圧縮コイルバネ３５）を設ける。そしてさらに、引戸枠（引戸枠３）の上枠部又は下枠部において引戸本体の上端面又は下端面との対向面の所定部位に、長尺状部材を進退させるための段差凹部（凹み部９）を設ける。
【００１１】
上記構成において、長尺状部材は、付勢部材の付勢力によって引戸本体の上端面又は下端面から突出する方向に付勢されており、引戸本体が引戸枠に沿って移動する際、引戸枠の上枠部又は下枠部に設けた段差凹部に至るとその突出量が増える。かかる場合、長尺状部材の進退動作に伴い係合部材の係合／非係合が切り替えられ、ひいては引手部材及び引戸本体の一体移動／相対移動の状態切り替えが実現できる。
【００１２】
引戸枠の上枠部又は下枠部に引戸案内用のガイド溝が設けられる構成においては、そのガイド溝の底面に段差凹部が設けられると良い。
【００１３】
長尺状部材において引戸枠の上枠部又は下枠部との接触部に車輪（車輪３２）を設けると良い。これにより、引戸本体の移動時における長尺状部材（係合部材）の進退動作を滑らかに行わせることができる。
【００１４】
係合部材を係合状態のままロックするためのロック機構を、ユーザにより切り替え操作可能に設けると良い。つまり、ロック機構の働きにより係合部材が係合状態のまま保持されると、従来一般の引戸装置と同様に、常にユーザの手の動きに合わせて引戸本体を開閉できる。本構成によれば、ユーザの好み等に応じて、引戸装置の指挟み防止機能を有効又は無効とすることができる。
【００１５】
引手部材が引戸本体と一体移動する状態と、引手部材が引戸本体に対して相対移動可能となる状態とが切り替えられる引戸本体の引き出し位置を、変更可能とすると良い。これにより、ユーザの好み等に応じて、引手部材が相対移動可能となる範囲を決めることができる。故に、ユーザの意向を反映した安全対策が実現できる。
【００１６】
具体的には、上記のように係合部材として長尺状部材（ロッド３１）を用い、その長尺状部材の先端部が引戸枠に接触することで同長尺状部材が進退する構成においては、引戸枠に設けた段差凹部の長さ（大きさ）を変更可能にする。例えば、段差凹部をあらかじめ長めに設けておき、その段差凹部に凹部長さ調整片（凹部長さ調整片５１）を組み付けて段差凹部の長さを調整する。
【００１７】
ここで、引戸本体の一方の面が壁部に対向し、他方の面が壁部に対向しない状態で設置される、いわゆる片引き込みタイプの引戸装置への適用が考えられる。この場合、壁部との対向側の引戸面に、引戸本体に対して相対移動可能となる引手部材を設けるとともに、反対側の引戸面に、引戸本体に固定した固定引手を設けると良い。これにより、指挟みのおそれのない引戸面側（壁部対向面とは逆側）では、常にユーザの意図通りに引戸本体が開閉できる。
【００１８】
また、相対する２つの壁部（控え壁部４１，４２）の間に形成される引戸収容部（戸袋部４３）に対して引戸本体が出し入れされる、いわゆる両引き込みタイプの引戸装置への適用が考えられる。この場合、引戸本体の表裏両方の引戸面に、引戸本体に対して相対移動可能となる引手部材を設けると良い。これにより、引戸本体の表裏いずれの側でも指挟みが防止できる。
【００１９】
住宅等の建物においては、上記構成の引戸装置を備え、該引戸装置の引戸本体により、人が出入りする開口部を開閉させると良い。こうした建物の適用に際し、居住者等が引戸で手指を挟んでしまうといった問題が解消できる。
【発明を実施するための最良の形態】
【００２０】
［第１の実施形態］
以下、本発明を具体化した第１の実施形態を図面に基づいて説明する。図１には、建物の屋内に設けられた引戸１０の全体構成を示しており、（ａ）は引戸１０の正面図、（ｂ）は（ａ）のＡ−Ａ線断面図である。
【００２１】
図１において、建物内の壁体１には縦長四角状の開口部２が設けられており、その開口部２には引戸枠３が取り付けられている。引戸枠３は、上枠部４と左右の縦枠部５，６とを有しており、上枠部４には、その長手方向に沿ってガイド溝４ａが形成されている。説明の便宜上以下、図の左側の縦枠部５を戸尻側縦枠部５、図の右側の縦枠部６を戸先側縦枠部６と言う。上枠部４は開口部２の約２倍の幅寸法を有する。引戸枠３には、図の左右方向にスライド可能な状態で片引き込みタイプの引戸１０が取り付けられている。また、壁体１には、引戸１０を収容する戸袋部７と、その戸袋部７に相対する控え壁部８とが設けられている。なお本記載では、控え壁部８の端縁部に設けられた方立部分も含み「控え壁部」と称する。
【００２２】
引戸１０は上枠部４のガイド溝４ａに案内されるようにして図の左右方向にスライドし、引戸１０が戸袋部７に収容されることで開口部２が開放され、逆に同引戸１０が戸袋部７から引き出されることで開口部２が閉鎖される。このとき、引戸１０の戸尻が戸尻側縦枠部５に当たった状態では、引戸１０が戸先まで完全に戸袋部７に収容された状態（戸先まで控え壁部８に重なった状態）となる。
【００２３】
引戸１０は、開口部２とほぼ同じ大きさの面材からなる引戸本体１１を有しており、その引戸本体１１の戸先側ほぼ中央部に引手部１２が設けられている。引手部１２には、控え壁部８に対向する側とその反対側とで各々異なる構造の引手が設けられており、その概要を図２に示す。図２は、引手部１２の断面構造を示す図であり、これは図１の（ａ）のＢ−Ｂ線断面図に相当する。なお、図の下側が控え壁部８側である。
【００２４】
引手部１２において、控え壁部８とは反対側（図２の上側）には、固定式の引手１４が設けられ、控え壁部８側（図２の下側）には可動式の引手１５が設けられている。以下、説明の便宜上、固定式の引手１４を「固定引手１４」、可動式の引手１５を「可動引手１５」と称する。
【００２５】
固定引手１４の構成として、引戸本体１１の一面側（控え壁部８とは反対側）には縦長状の凹部１７が形成され、その凹部１７に沿うようにして引手カバー１８が取り付けられている。引手カバー１８において凹部１７に沿って凹んだ部位は指掛け部１９となっており、その指掛け部１９に指を掛けることで、控え壁部８とは反対側から引戸１０を開閉できるようになっている。
【００２６】
一方、可動引手１５に関連する構成として、引戸本体１１の他面側（控え壁部８側）には矩形段差状に切欠凹部２１が形成され、その切欠凹部２１に収まるようにして引手片２２が設けられている。引手片２２は、切欠凹部２１よりも左右幅が短い基部２２ａと、その基部２２ａから図の左方へ延びる鍔部２２ｂとを有しており、切欠凹部２１と基部２２ａとの相対する端面間の隙間スペース２３には引張りコイルバネ２４が設けられている。引張りコイルバネ２４の一端は、切欠凹部２１の端面に固定されたバネ受け板２５に固定され、他端は基部２２ａの端面に固定されている。この引張りコイルバネ２４の付勢力により、引戸本体１１の戸先とは逆側（図の左方）に引手片２２が常に引っ張り付勢されている。基部２２ａには、縦長凹状をなす指掛け部２２ｃが形成されている。指掛け部２２ｃは、固定引手１４に設けた指掛け部１９と同一の形状・大きさを有する。この場合、表裏一対の引手１４，１５は、一見して同一の外観を呈している。
【００２７】
上記構成の可動引手１５において、通常状態では、引張りコイルバネ２４の付勢力によって、引手片２２は引戸本体１１の切欠凹部２１に収まった状態で保持され、引手片２２の戸先側先端部が引戸本体１１の戸先と面一となっている（図示の状態）。なおこの状態では、引手片２２の鍔部２２ｂによって切欠凹部２１の端面と基部２２ａとの間の隙間スペース２３が閉じられるようになっている。
【００２８】
これに対し、引張りコイルバネ２４の付勢力に抗して引手片２２が引戸本体１１に対して相対移動する場合には、引手片２２の戸先側先端部が引戸本体１１の戸先よりも右方へ突出するようになっている。
【００２９】
上記のとおり可動引手１５は引戸本体１１に対して相対移動可能となっているが、その相対移動は、引戸１０の引き出し位置に応じて可能又は不可となっており、その構成について以下に説明する。図３は、引戸本体１１に対して引手片２２が相対移動可能となる状態と、引手片２２が相対移動不可となる状態（引手片２２が引戸本体１１と一体移動する状態）とを切り替えるための引手連結機構の構成を示す断面図である。なお図３では都合上、各部材間に隙間を持たせて図示しているが、実際には各部材のガタツキが生じない寸法で隙間設定されている。又は、弾性材等からなるガタツキ防止部材が介装されていても良い。
【００３０】
図３において、引戸本体１１の戸先付近には、引戸本体１１の上端部と切欠凹部２１とを連通するようにして上下方向に延びる貫通孔３０が設けられており、その貫通孔３０内にはロッド３１が上下方向に往復動可能に収容されている。貫通孔３０は、基本的にロッド３１を往復動自在に収納するに足りる小径の長孔であるが、その上端部には車輪格納室３０ａが形成され、切欠凹部２１付近には、拡径部よりなるバネ室３０ｂが形成されている。
【００３１】
ロッド３１の上端部には車輪３２が取り付けられており、その車輪３２が車輪格納室３０ａに格納されている。また、ロッド３１の中間部分には鍔状のバネストッパ３３が取り付けられている。バネ室３０ｂ内には、その底面とバネストッパ３３との間に圧縮状態で圧縮コイルバネ３５が配設されている。この場合、圧縮コイルバネ３５の付勢力によりロッド３１は常に上方向に付勢され、ロッド上端部の車輪３２が引戸枠３の上枠部４に押し付けられる。これにより、引戸１０が左右方向にスライドする際には、車輪３２が上枠部４のガイド溝４ａの底面（図では上面）に当接した状態で転がるようになっている。
【００３２】
また、引手片２２の上端部には、所定深さの係合穴３７が設けられており、その係合穴３７にロッド３１の下部先端が差し入れられるようになっている。この場合、ロッド３１の下部先端が係合穴３７に差し入れられることにより、引手片２２とロッド３１とが係合状態となり、引戸本体１１と引手片２２とが一体移動するようになっている（図示の状態）。これに対し、ロッド３１の下部先端が係合穴３７から引き抜かれることにより、引手片２２とロッド３１との係合状態が解除され、引戸本体１１に対して引手片２２が相対移動できるようになる。
【００３３】
切欠凹部２１の下面部には、引戸スライド方向と同方向に延びるレール部材３８が敷設されており、引手片２２の下端部がレール部材３８に係合することで、同引手片２２がレール部材３８に沿ってスライド移動可能となっている。なお図示は略すが、レール部材３８には、引手本体１１に対する引手片２２の最大突出量を規定するストッパが設けられている。レール部材３８の形状等については任意であり、他にも適宜変更できる。また、切欠凹部２１の上面部及び下面部にそれぞれレール部材が設けられる構成であっても良い。
【００３４】
上枠部４のガイド溝４ａには、その溝深さを大きくした段差凹部としての凹み部９が形成されている。凹み部９は引戸１０の移動方向（出し入れ方向）に延設されている。引戸１０の移動に伴い車輪３２が凹み部９に到達すると、車輪３２が凹み部９に入り込むことでその深さ分だけ車輪３２が上方へ変位する。これにより、ロッド３１が上方に移動し、ロッド３１の下部先端が係合穴３７から引き抜かれるようになっている。ガイド溝４ａにおいて溝浅部と溝深部（凹み部９）との境界部には傾斜部９ａが設けられている。
【００３５】
本実施形態では、引戸１０が全閉状態又は一部開放状態にある場合に、引戸本体１１と引手片２２とが一体移動する。また、ユーザが引戸１０を開き側にスライドさせる場合において、引戸１０の戸尻が戸尻側縦枠部５に当たる直前、すなわち引手片２２の指掛け部２２ｃが控え壁部８に重なる直前に、引戸本体１１と引手片２２とが相対移動可能となるように構成している。これにより、引手片２２に掛けた指等が控え壁部８の端縁部（方立部分）との間に挟まれるといった不都合が防止されるようになっている。
【００３６】
引戸本体１１と引手片２２とが相対移動可能となる位置について図４で説明する。図４は、控え壁部８に対する引戸本体１１の開き位置と、引手片２２の動作状態（固定／フリーのいずれかの状態）との関連について示している。引手片２２＝固定は、引戸本体１１と共に引手片２２が一体移動する状態を示し、引手片２２＝フリーは、引戸本体１１に対して引手片２２が相対移動する状態を示す。
【００３７】
図４の（ａ）では、引戸本体１１が控え壁部８の端縁部から所定量（（ｂ）の引き出し量Ｈ）以上引き出されており、この状態では引手片２２が引手本体１１と一体移動する。すなわち、引手片２２とロッド３１とが係合状態となっている。これにより、ユーザの手の動きに直に応じて引手本体１１が出し入れされる。
【００３８】
図４の（ｂ）では、上記（ａ）の状態よりも引手本体１１が開き側に移動しており、引手片２２の指掛け部２２ｃが控え壁部８の端縁部に至る直前で、引手片２２が引手本体１１と一体移動する状態から、引手片２２が引手本体１１に対して相対移動する状態へと切り替えられる。すなわち、引手片２２とロッド３１とが係合状態から非係合状態に切り替えられる。この状態での引き出し量Ｈを基準にして、上枠部４のガイド溝４ａに凹み部９が形成されている。
【００３９】
そして、図４の（ｃ）では、引手本体１１がほぼ全開状態となっている。この状態で引手片２２の指掛け部２２ｃに手指が引っかけられていれば、図示のように引手片２２が引手本体１１に対して相対移動する。
【００４０】
図５は、可動引手１５における具体的な動作を示す動作説明図である。ここでは、ユーザが可動引手１５を用いて引戸１０を開き側（図の左方）にスライドさせる場合の動作を（ａ）→（ｂ）の順に示している。
【００４１】
図５の（ａ）では、引手片２２の指掛け部２２ｃに指が引っかけられて引戸１０が図の左方にスライドされる。このとき、引手片２２と引戸本体１１とは一体移動するため、ユーザの手の動きに直に応じて通常の開放動作が行われる。
【００４２】
そして、引手片２２の指掛け部２２ｃに指を引っかけたまま、引手片２２が控え壁部８に至ると、図５の（ｂ）に示すように、引手片２２が引手本体１１に対して相対移動し、引手本体１１の戸先側から突出した状態となる。これにより、指挟みが防止される。その後、（ｂ）の状態で指を離すと、引張りコイルバネ２４の付勢力によって、引手片２２が元の位置（切欠凹部２４に収容された位置）に復帰する。
【００４３】
以上詳述した本実施形態によれば、以下の優れた効果が得られる。
【００４４】
引戸本体１１に対して相対移動可能に引手片２２を設けたため、引戸本体１１を控え壁部８に重なる方向に移動させる際において、引手片２２に差し入れた手指が引戸本体１１と控え壁部８との間に挟まれるといった不都合を防止することができる。また、引手片２２が引戸本体１１と一体移動する状態と、引手片２２が引戸本体１１に対して相対移動可能となる状態とを、引戸本体１１の引き出し位置に応じて切り替えるようにし、特に控え壁部８に対して引戸本体１１が引手片２２の指掛け部分だけ引き出された状態となる位置で一体移動→相対移動可能の状態切り替えを行うようにしたため、引戸本体１１の移動範囲内において、引手片２２が引戸本体１１に対して相対移動可能となる状態を必要最小限の範囲で設けることができる。以上により、引戸１０を引き込む際の指挟みを防止し、しかもその引き込み動作を好適に行わせることができる。
【００４５】
先端に車輪３２を有するロッド３１を用い、引戸本体１１が引戸枠３に沿って移動する際に、上枠部４のガイド溝４ａに設けた凹み部９にてロッド３１を上下方向に進退動作させて引手片２２と引手本体１１との一体移動／相対移動可能の状態切り替えを行う構成としたため、上記の切り替え時にユーザに付加的な行為が強いられることなく、自動的に指挟み防止の機能がオン／オフできる。
【００４６】
片引き込みタイプの引戸１０において、控え壁部８側には可動引手１５と設け、その反対側には固定引手１４を設けたため、指挟みのおそれのない引戸面側（控え壁とは逆側）では、常にユーザの意図通りに引戸１０が開閉できる。
【００４７】
住宅等の建物では、上記引戸１０を、部屋間の仕切り戸や収納庫の開閉戸などに適用することが考えられる。この場合、その仕切り戸や開閉戸を開閉する際に居住者等の指が挟まれるといった問題が解消できる。
【００４８】
［第２の実施形態］
上記第１の実施形態では、片引き込みタイプの引戸について本発明の適用例を説明したが、両引き込みタイプの引戸にも適用できる。その構成を図６に基づいて説明する。図６において、相対する２つの控え壁部４１，４２の間には戸袋部４３が設けられ、その戸袋部４３に対して引戸本体１１が出し入れ可能となっている。また、引戸本体１１の戸先側には、引戸表裏方向に通じる正面視矩形状の切欠部４４が形成され、その切欠部４４に収まるようにして引手片４５が設けられている。正面視した外見からすれば、切欠部４４及び引手片４５の形状及び大きさは、上記した切欠凹部２１及び引手片２２に準じたものとなっている。
【００４９】
切欠部４４の端面にはバネ受け板４７が設けられ、そのバネ受け板４７と引手片４５との間の隙間スペース４８には引張りコイルバネ４９が設けられている。この引張りコイルバネ４９の付勢力により、引戸本体１１の戸先とは逆側（戸尻側）に引手片４５が常に引っ張り付勢されている。引手片４５には、引戸面の表裏両側に、縦長凹状をなす指掛け部４５ａが形成されている。
【００５０】
上記構成において、通常状態では、引張りコイルバネ４９の付勢力によって、引手片４５は引戸本体１１の切欠部４４に収まった状態で保持され、引手片４５の戸先側先端部が引戸本体１１の戸先と面一となっている。これに対し、引張りコイルバネ４９の付勢力に抗して引手片４５が引戸本体１１に対して相対移動する場合には、引手片４５の戸先側先端部が引戸本体１１の戸先よりも右方へ突出するようになっている（図示の状態）。
【００５１】
以上第２の実施形態によれば、上記第１の実施形態と同様に、引戸を引き込む際の指挟みを防止し、しかもその引き込み動作を好適に行わせることができる。特に本実施形態では、両引き込みタイプの引戸において、表裏いずれの面側でも指挟みが防止できる。
【００５２】
［別の実施形態］
本発明は上記実施形態の記載内容に限定されず、例えば次のように実施しても良い。
【００５３】
上記実施形態では、係合部材としてのロッド３１を引手片２２の上方に延ばし、その上端部（詳しくは車輪３２）を引手本体１１の上端面から突出させる構成としたが、これを変更する。上記構成とは逆に、ロッド３１を引手片２２の下方に延ばし、その下端部（詳しくは車輪）を、引手本体１１の下端面から突出させる構成としても良い。この場合、引戸枠３に下枠部を設け、その下枠部のガイド溝に段差凹部を設けると良い。
【００５４】
係合部材としてのロッド３１を係合状態のままロックするためのロック機構を設けても良い。ロック機構においてロック／アンロックの状態は、引手本体１１に設けた切り替え摘み等をユーザが操作することで切り替え可能であると良い。ロック機構がロック状態となれば、引手本体１１がいずれの位置にあっても引手本体１１と引手片２２とが常に一体動作する。つまり、従来一般の引戸装置と同様に、常にユーザの手の動きに合わせて引戸本体１１を開閉できる。本構成によれば、ユーザの好み等に応じて、引戸の指挟み防止機能を有効又は無効とすることができる。
【００５５】
引手片２２が引戸本体１１と一体移動する状態と、引手片２２が引戸本体１１に対して相対移動可能となる状態とが切り替えられる引戸本体１１の引き出し位置を、変更可能としても良い。具体的には、図７に示すように、上枠部４のガイド溝４ａに設けた段差凹部としての凹み部９をあらかじめ長めに設けておき、その凹み部９に凹部長さ調整片５１を組み付ける構成とする。凹部長さ調整片５１として長さの異なる複数のパーツを用意し、上枠部４にはパーツ固定用のネジ孔等をあらかじめ形成しておくと良い。その凹部長さ調整片５１は傾斜部９ａ側に組み付けられる。この場合、凹部長さ調整片５１の組み付け前と組み付け後とでは、凹み部９の長さ（引戸スライド方向の長さ）が変更される。これにより、引手片２２が相対移動可能となるポイントが変更される。その他、上枠部４のガイド溝４にスライド式の凹部長さ調整片を設けておき、そのスライド位置に応じて引手片２２が相対移動可能となるポイントを変更しても良い。本構成によれば、ユーザの好み等に応じて、引手片２２が相対移動可能となる範囲を決めることができる。故に、ユーザの意向を反映した安全対策が実現できる。
【００５６】
引手片２２が引戸本体１１と一体移動する状態と、引手片２２が引戸本体１１に対して相対移動可能となる状態とを、電気的な構成により切り替えるようにしても良い。具体的には、引手本体１１に、電気的に作動し通電又は非通電のいずれかの状態で引手片２２に係合するフック部材を設けるとともに、引戸枠３に、引戸本体１１が所定の引き出し位置に達すると、ＯＮ／ＯＦＦが切り替えられるスイッチ装置を設ける。そして、スイッチ装置のＯＮ／ＯＦＦに応じて、フック部材を作動させて一体移動／相対移動の状態切り替えを実施する。
【図面の簡単な説明】
【００５７】
【図１】引戸の全体構成を示す図。
【図２】引手部の断面構造を示す図。
【図３】引手連結機構の構成を示す断面図。
【図４】引戸本体の開き位置と引手片の動作状態との関連について示す略図。
【図５】可動引手の具体的な動作を示す動作説明図。
【図６】第２の実施形態における引手部の断面構造を示す図。
【図７】引手片が相対移動可能となるポイントを変更するための構成例を示す断面図。
【符号の説明】
【００５８】
１…壁体、２…開口部、３…引戸枠、４…上枠部、４ａ…ガイド溝、７…戸袋部、８…控え壁部、９…凹み部、１０…引戸、１１…引戸本体、１２…引手部、１４…固定引手、１５…可動引手、２１…切欠凹部、２２…引手片、２４…引張りコイルバネ、３１…ロッド、３５…圧縮コイルバネ、４１，４２…控え壁部、４３…戸袋部、５１…凹部長さ調整片。
【図１】
2007297888.tif 000003
【図２】
2007297888.tif 000004
【図３】
2007297888.tif 000005
【図４】
2007297888.tif 000006
【図５】
2007297888.tif 000007
【図６】
2007297888.tif 000008
【図７】
2007297888.tif 000009